(57)【要約】【課題】加工製造が容易で、紙詰まりの発生を防止し、シュレッダー後の用紙の内容が識別される可能性を減少することが可能なシュレッダーの刀具の改良構造を提供する。【解決手段】本考案の刀具は、主に、平行な円筒形のローラー刀からなる。ローラー刀は、対応する若干の刀モールドを有し、各刀モールドは、一つの平坦な第一盤形刀体、及び、一つの湾曲した第二盤形刀体を貼合してなり、刀モールド円周は、非対称な刀先で、非対称、且つ、細小の砕片になるように、紙を裁断する。特に、刀先の湾曲する一側は、紙の進行方向と平行ではなく、紙に対し、牽引効果を生じ、紙詰まりの発生を防止する。【選択図】図３
0003114915.tif 000002
【実用新案登録請求の範囲】
【請求項１】
シュレッダー刀具の改良構造であって、前記刀具は、平行なローラー刀からなり、その特徴は、
前記ローラー刀は、対応する若干の刀モールドを有し、各刀モールドは、一つの平坦な第一盤形刀体、及び、一つの湾曲した第二盤形刀体を貼合してなり、前記刀モールド円周は、非対称な刀先を形成し、非対称、且つ、細小の砕片に紙を裁断することを特徴とするシュレッダー刀具の改良構造。
【請求項２】
前記第二盤形刀体は、なだらかな設計であることを特徴とする請求項１に記載のシュレッダー刀具の改良構造。
【請求項３】
前記第二盤形刀体は、大きい折れ曲がり設計であることを特徴とする請求項１に記載のシュレッダー刀具の改良構造。
【考案の詳細な説明】
【技術分野】
【０００１】
本考案は、シュレッダー刀具の改良構造に関するものであって、特に、シュレッダーの刀具構造に対し、改良を加えたもので、加工製造が容易で、紙詰まりの発生を防止し、シュレッダー後の用紙の内容が識別される可能性を減少することが可能なシュレッダー刀具の改良構造に関するものである。
【背景技術】
【０００２】
図１、及び、図２で示されるように、シュレッダーが使用する刀具は、円筒形のローラー刀１０、１０’からなり、ローラー刀１０、１０’が属する軸棒１２上に、複数の段差刀片１４を有すると共に、相隣する段差刀片１４の間に、導紙片１６を有して、その間を隔て、ローラー刀１０、１０’の段差刀片１４は、交錯して配置される。また、段差刀片１４は、二つの副刀片からなり、その円周に、裁断刃１８を有する。
【０００３】
刀具全体は、モーター１００を主な駆動素子とし、減速機２００により、ローラー刀１０、１０’の軸棒１２とモーター間を連結する。モーター１００の駆動下で、ローラー刀１０、１０’は放転して、紙はその間で、裁断される。
【０００４】
上述のような公知の刀具構造は、紙をシュレッダーにかけることが出来るが、原理は、主に、交錯配置された段差刀片１４により、紙を細長く分割する。段差刀片１４円周上に凸設された裁断刃１８により、細長く分割された紙を、更に、砕く。よって、裁断された紙の厚さは、直接、裁断刃１８の高度の制限を受け、また、得られる砕片は、相当な幅を有するので、砕片の内容が読み取れる可能性があり、機密や個人情報等の文献の内容が流出する恐れがある。
【０００５】
更に、段差刀片１４の刀先と紙は平行の進行方向で、紙に対し生成する牽引効果が悪く、砕片が堆積すると、紙詰まりが発生しやすい。
【考案の開示】
【考案が解決しようとする課題】
【０００６】
本考案は、シュレッダーが使用する刀具構造に改良を加え、加工製造が容易で、紙詰まりの発生を防止し、シュレッダー後の用紙の内容が識別される可能性を減少することが可能なシュレッダー刀具の改良構造を提供することを目的とする。
【課題を解決するための手段】
【０００７】
上記の目的を達成するため、本考案は、刀具全体は、同様に、平行な円筒形のローラー刀からなり、モーターの駆動下で、円筒形ローラー刀は、放転し、紙を裁断する。ローラー刀は、対応する若干の刀モールドを有し、各刀モールドは、一つの平坦な第一盤形刀体、及び、一つの湾曲した第二盤形刀体を貼合してなり、刀モールド円周は、非対称な刀先で、ローラーが放転する時、ローラー上の刀刃は、刀先を貼合する方式で、放転される紙を裁断する。よって、裁断される砕片は、非対称の細小の砕片で、その内容が読み取れる可能性が大幅に減少する。
【０００８】
特に、刀先の湾曲する一側は、紙の進行方向と平行ではなく、紙に対し、牽引効果を生じ、紙詰まりの発生を防止する。ローラー刀上の刃刀は、刀先を螺旋方式で配置して、全ての刀刃の刀先が同一軸線に落ちるのを回避して、これにより、紙の裁断時の応力を分散し、刀具の耐磨性を増加して、シュレッダーの故障率を低下させる。
【考案の効果】
【０００９】
本考案のシュレッダー刀具の改良構造により、加工製造が容易で、紙詰まりの発生を防止し、シュレッダー後の用紙の内容が識別される可能性を減少するという長所を得る。
【考案を実施するための最良の形態】
【００１０】
本考案のシュレッダー刀具の改良構造において、刀具の基本構造は、図３で示されるように、平行な円筒形のローラー刀３、３’からなり、モーター１が主な駆動素子で、更に、減速機２を、円筒形のローラー刀３、３’とモーター１間に連結し、モーター１の駆動下で、円筒形ローラー刀３、３’は放転し、図４、及び、図５で示されるような非対称の細小の砕片６になるように、紙を裁断する。
【００１１】
注意すべきことは、ローラー刀３、３’は、対応する若干の刀モールド４を有し、図６、及び、図７で示されるように、各刀モールド４は、一つの平坦な第一盤形刀体４１、及び、一つの湾曲した第二盤形刀体４２を貼合してなり、刀モールド４円周は、非対称な刀先を形成する。
【００１２】
実施時、第二盤形刀体の湾曲設計は、打ち抜き加工により湾折して、なだらかな湾曲設計、或いは、極端な湾曲設計になり、加工製造が容易であると言う特性を有する。この他、各刀モールドの第一、第二盤計刀体は、多辺形の軸心孔を有し、軸心孔の辺数と穿設される軸棒の辺数は、少なくとも二辺である。第一、第二盤形刀体の円周は、複数の鋭角を呈する裁断刃を有し、各裁断刃は、非等方位角の配置で、第一、第二盤形刀体を貼合して組み立てた後、第一、第二盤形刀体が対応する裁断刃は、前後に、所定の段差角度を有する。
同様に、図３で示される実施例中、相隣する刀モールド４間に、導紙片５を設置して適当に隔て、ローラー刀３、３’上の刀モールド４は、交錯配置により、ローラー刀３、３’を放転させる時、ローラー刀３、３’上の刀モールド４は、刀先貼合の方式で、放転される紙を裁断する。
【００１３】
裁断される紙は、図４、及び、図５で示されるように、非対称の細小の砕片になり、図４で示される細小の砕片６は、湾曲設計がなだらかな第二盤形刀体により裁断され、図５で示される細小の砕片６は、湾曲設計が大きい第二盤形刀体により裁断され、両者は、頭端も尾端も尖鋭で、非対称であるので、切断された紙は、内容が識別され、機密や個人情報が読み取られる可能性が低い。
【００１４】
注意すべきことは、刀先の湾曲する一側は、紙と進行方向が異なり、紙に対し牽引効果を有し、紙詰まりを防止する。ローラー刀上の刃刀は、刀先を螺旋方式で配置して、全ての刀刃の刀先が同一軸線に落ちるのを回避して、これにより、紙の裁断時の応力を分散し、刀具の耐磨性を増加して、シュレッダーの故障率を低下させる。
【００１５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１６】
【図１】シュレッダーが使用する刀具の立体図である。
【図２】公知の刀具の構造図である。
【図３】本考案の刀具構造を示す図である。
【図４】本考案の刀具が裁断する細小の砕片を示す図である。
【図５】本考案の刀具が裁断するもう一つの細小の砕片を示す図である。
【図６】本考案の刀モールドの構造断面図である（一つの刀先）。
【図７】本考案の刀モールドのもう一つの構造断面図である（二つの刀先）。
【符号の説明】
【００１７】
１、１００…モーター
２、２００…減速機
３、３’、１０、１０’…ローラー刃
４…刀モールド
４１…第一盤形刀体
４２…第二盤形刀体
５、１６…導紙片
６…細小砕片
１２…軸棒
１４…段差刀片
１８…裁断刃
【図１】
0003114915.tif 000003
【図２】
0003114915.tif 000004
【図３】
0003114915.tif 000005
【図４】
0003114915.tif 000006
【図５】
0003114915.tif 000007
【図６】
0003114915.tif 000008
【図７】
0003114915.tif 000009